【手続補正書】
【提出日】平成16年3月22日(2004.3.22)
【手続補正１】
【補正対象書類名】明細書
【補正対象項目名】特許請求の範囲
【補正方法】変更
【補正の内容】
【特許請求の範囲】
【請求項１】
回転体と、該回転体と圧接部を形成する加圧部材と、該回転体自身に内包され、あるいは該回転体に接触するように配設された発熱部とを有し、上記圧接部に被加熱材を挟持して加熱する像加熱装置において、上記回転体の長手方向端部と、上記回転体の寄りを規制する規制部材との間に、上記回転体及び該規制部材よりも低硬度の部材を設けることを特徴とする像加熱装置。
【請求項２】
回転体と、該回転体内部に設けられた励磁コイルと、該回転体と圧接部を形成する加圧部材とを有し、該回転体に渦電流を発生させることにより回転体自身を発熱させる像加熱装置において、上記回転体の長手方向端部と、上記回転体の寄りを規制する規制部材との間に、上記回転体及び該規制部材よりも低硬度の部材を設けることを特徴とする像加熱装置。
【請求項３】
回転体の長手方向端部に回転体及び規制部材よりも低硬度のキャップを設けることとする請求項１または請求項２に記載の像加熱装置。
【請求項４】
回転体の寄りを規制する規制部材上に、回転体及び規制部材よりも低硬度の板状部材を設けることとする請求項１または請求項２に記載の像加熱装置。
【請求項５】
記録材上に熱軟化性有色粉体像を形成し、該粉体像の担持された記録材を、請求項１ないし請求項４のいずれか一項に記載の像加熱装置に通過させることにより、上記粉体像を上記記録材上に永久画像として定着させて画像を形成することを特徴とする画像形成装置。
【手続補正２】
【補正対象書類名】明細書
【補正対象項目名】０００８
【補正方法】変更
【補正の内容】
【０００８】
【課題を解決するための手段】
本出願に係る第１の発明によれば、上記目的は、回転体と、該回転体と圧接部を形成する加圧部材と、該回転体自身に内包され、あるいは該回転体に接触するように配設された発熱部とを有し、上記圧接部に被加熱材を挟持して加熱する像加熱装置において、上記回転体の長手方向端部と、上記回転体の寄りを規制する規制部材との間に、上記回転体及び該規制部材よりも低硬度の部材を設けることにより達成される。


【手続補正３】
【補正対象書類名】明細書
【補正対象項目名】０００９
【補正方法】変更
【補正の内容】
【０００９】
また、本出願に係る第２の発明によれば、上記目的は、回転体と、該回転体内部に設けられた励磁コイルと、該回転体と圧接部を形成する加圧部材とを有し、該回転体に渦電流を発生させることにより回転体自身を発熱させる像加熱装置において、上記回転体の長手方向端部と、上記回転体の寄りを規制する規制部材との間に、上記回転体及び該規制部材よりも低硬度の部材を設けることにより達成される。


【手続補正４】
【補正対象書類名】明細書
【補正対象項目名】００１０
【補正方法】変更
【補正の内容】
【００１０】
さらに、本出願に係る第３の発明によれば、上記目的は、上記第１の発明または第２の発明において、回転体の長手方向端部に回転体及び規制部材よりも低硬度のキャップを設けることにより達成される。


【手続補正５】
【補正対象書類名】明細書
【補正対象項目名】００１１
【補正方法】変更
【補正の内容】
【００１１】
また、本出願に係る第４の発明によれば、上記目的は、上記第１の発明または第２の発明において、回転体の寄りを規制する規制部材上に、回転体及び規制部材よりも低硬度の板状部材を設けることにより達成される。


【手続補正６】
【補正対象書類名】明細書
【補正対象項目名】００１３
【補正方法】変更
【補正の内容】
【００１３】
つまり、本出願に係る第１の発明においては、回転体の長手方向端部と、回転体の寄りを規制する規制部材との間に、回転体及び規制部材よりも低硬度の部材を設けたので、この低硬度の部材自身が徐々に削れることによって回転体端部の破損を防止し、高速化、高耐久化を実現する。


【手続補正７】
【補正対象書類名】明細書
【補正対象項目名】００１４
【補正方法】変更
【補正の内容】
【００１４】
また、本出願に係る第２の発明においては、回転体の長手方向端部と、回転体の寄りを規制する規制部材との間に、回転体及び規制部材よりも低硬度の部材を設けたので、この低硬度の部材自身が徐々に削れることによって回転体端部の破損を防止し、回転体自身が発熱する像加熱装置において、高速化、高耐久化を実現する。


【手続補正８】
【補正対象書類名】明細書
【補正対象項目名】００１５
【補正方法】変更
【補正の内容】
【００１５】
また、本出願に係る第３の発明においては、上記第１の発明または第２の発明の回転体の長手方向端部に回転体及び規制部材よりも低硬度のキャップを設けたので、このキャップを規制部材の片側一端に突き当てれば回転体が保持され、構成を簡略化する。


【手続補正９】
【補正対象書類名】明細書
【補正対象項目名】００１６
【補正方法】変更
【補正の内容】
【００１６】
さらに、本出願に係る第４の発明においては、上記第１の発明または第２の発明の回転体の寄りを規制する規制部材上に、回転体及び規制部材よりも低硬度の板を設けたので、キャップのように回転体に被せる精度が必要なくなるので、低コスト化が図られる。


【手続補正１０】
【補正対象書類名】明細書
【補正対象項目名】００１７
【補正方法】変更
【補正の内容】
【００１７】
また、本出願に係る第５の発明においては、記録材上に熱軟化性有色粉体像を形成し、該粉体像の担持された記録材を、上記第１の発明ないし上記第４発明のいずれか一の像加熱装置に通過させることにより、上記粉体像を上記記録材上に永久画像として定着させて画像を形成する画像形成装置は、上記回転体の長手方向端部と、上記回転体の寄りを規制する規制部材との間に、上記回転体及び該規制部材よりも低硬度の部材を設けているので、高速化した場合でも、この低硬度の部材自身が徐々に削れることによって回転体端部の破損を防止し、高耐久化を実現する。従って、長期に亘って高速で安定した画像形成が行われる。


【手続補正１１】
【補正対象書類名】明細書
【補正対象項目名】００５１
【補正方法】変更
【補正の内容】
【００５１】
【発明の効果】
以上説明したように、本出願に係る第１の発明によれば、回転体の長手方向端部と、回転体の寄りを規制する規制部材との間に、回転体及び規制部材よりも低硬度の部材を設けたので、この低硬度の部材自身が徐々に削れることによって回転体端部の破損を防止し、高速化、高耐久化を実現することができる。


【手続補正１２】
【補正対象書類名】明細書
【補正対象項目名】００５２
【補正方法】変更
【補正の内容】
【００５２】
また、本出願に係る第２の発明によれば、回転体の長手方向端部と、回転体の寄りを規制する規制部材との間に、回転体及び規制部材よりも低硬度の部材を設けたので、この低硬度の部材自身が徐々に削れることによって回転体端部の破損を防止し、回転体自身が発熱する像加熱装置において、高速化、高耐久化を実現することができる。


【手続補正１３】
【補正対象書類名】明細書
【補正対象項目名】００５３
【補正方法】変更
【補正の内容】
【００５３】
また、本出願に係る第３の発明によれば、上記第１の発明または第２の発明の回転体の長手方向端部に回転体及び規制部材よりも低硬度のキャップを設けたので、このキャップを側板の片側一端に突き当てることにより回転体を保持することができ、構成を簡略化することができる。


【手続補正１４】
【補正対象書類名】明細書
【補正対象項目名】００５４
【補正方法】変更
【補正の内容】
【００５４】
さらに、本出願に係る第４の発明によれば、上記第１の発明または第２の発明の回転体の寄りを規制する規制部材上に、回転体及び規制部材よりも低硬度の板状部材を設けたので、キャップのように回転体に被せる精度が必要なくなり、低コスト化を図ることができる。


【手続補正１５】
【補正対象書類名】明細書
【補正対象項目名】００５５
【補正方法】変更
【補正の内容】
【００５５】
また、本出願に係る第５の発明によれば、記録材上に熱軟化性有色粉体像を形成し、該粉体像の担持された記録材を、上記第１の発明ないし上記第４発明のいずれか一の像加熱装置に通過させることにより、上記粉体像を上記記録材上に永久画像として定着させて画像を形成する画像形成装置は、上記回転体の長手方向端部と、上記回転体の寄りを規制する規制部材との間に、上記回転体及び該規制部材よりも低硬度の部材を設けているので、高速化した場合でも、この低硬度の部材自身が徐々に削れることによって回転体端部の破損を防止し、高耐久化を実現することができ、従って、長期に亘って高速で安定した画像形成を行うことができる。